(57)【要約】【課題】デジタル放送を記録再生する場合に、記録時より低レートでの再生を実現する。【解決手段】映像信号をＭＰＥＧ２の圧縮方式で圧縮された圧縮信号と該映像信号に同調した基準信号を含むパーシャルストリームとして記録し、タイムスタンプ付加／削除装置１４でパケットに付加されたタイムスタンプに基づいて再生を行うシステムで、記録時は記録するパケットのビットレートを算出もしくは固定値として保持し、再生時は前記ビットレートと同じもしくは少し高いビットレートで再生するとともに、ストリームの基準時刻となるＰＣＲ値をその再生ビットレートに合うように変更する。これにより、受信レートより低い再生レートで再生処理が実現可能となる。【選択図】　　　図１
2004120289.tif 000002
【特許請求の範囲】
【請求項１】
デジタル放送により送信されたデジタル放送信号を受信し、所定のトランスポートストリームを出力するチューナと、
前記チューナから入力された前記所定のトランスポートストリームから所定の番組を含むパケットを抜き出してパーシャルトランスポートを記録するために記録媒体へ出力する記録用信号出力手段と、
前記記録用信号出力手段が前記所定の番組の前記パーシャルトランスポートストリームに含まれる映像信号のデータの画質を調べる手段と、
前記記録媒体へ記録するときの所定の記録ビットレートの最大値を管理する制御手段と、
前記パーシャルトランスポートストリームを記録するときの時間情報を記録パケットに付加する手段と、
前記最大の記録ビットレートより、所定の値だけ高いビットレートを、前記記録媒体から再生された前記パーシャルトランスポートストリームの再生ビットレートとして設定し、前記記録媒体から再生された前記パーシャルストリームを出力する再生用信号処理手段と、を備えたことを特徴とするデジタル放送記録再生装置。
【請求項２】
前記画質を調べる手段は、受信した映像信号がＳＤかＨＤかを判定することを特徴とする請求項１記載のデジタル放送記録再生装置。
【請求項３】
デジタル放送により送信されたデジタル放送信号を受信し、所定のトランスポートストリームを出力するチューナと、
前記チューナから入力された前記所定のトランスポートストリームから所定の番組を含むパケットを抜き出してパーシャルトランスポートを記録するために記録媒体へ出力する記録用信号出力手段と、
前記記録用信号出力手段が前記所定の番組の前記パーシャルトランスポートストリームに含まれる映像信号の所定の再生単位のデータ量を前記記録媒体へ出力する毎に、前記所定の再生単位のデータ量の再生ビットレートを算出してその最大値を管理する制御手段と、
前記パーシャルトランスポートストリームを記録するときの時間情報を記録パケットに付加する手段と、
前記最大の記録ビットレートより、所定の値だけ高いビットレートを、前記記録媒体から再生された前記パーシャルトランスポートストリームの再生ビットレートとして設定し、前記記録媒体から再生された前期パーシャルストリームを出力する再生用信号処理手段と、を備えたことを特徴とするデジタル放送記録再生装置。
【請求項４】
自走してＳＴＣカウンタ値を出力する内部ＳＴＣカウンタを有し、
再生開始時に、前記再生用信号処理手段においてＰＣＲ値と前記内部ＳＴＣカウンタのカウンタ値との差分値を保持し、
ＰＣＲを含むパケットが入力される毎に、前記差分値と前記内部ＳＴＣカウンタのカウンタ値の和で書き換えることを特徴とする請求項１または３記載のデジタル放送記録再生装置。
【請求項５】
少なくとも映像信号をＭＰＥＧ２の圧縮方式で圧縮された圧縮信号と該映像信号に同調した基準信号を含むパーシャルストリームとして記録し、パケットに付加されたタイムスタンプに基づいて再生を行うデジタル放送記録再生装置において、
記録時には記録するパケットのビットレートを算出もしくは固定値として保持し、
再生時には前記ビットレートと同じもしくは少し高いビットレートで再生するとともに、ストリームの基準時刻となるＰＣＲをその再生ビットレートに合うように変更することを特徴とするデジタル放送記録再生装置。
【発明の詳細な説明】
【０００１】
【発明の属する技術分野】
この発明は、特にＭＰＥＧ（Ｍｏｖｉｎｇ　Ｐｉｃｔｕｒｅ　Ｅｘｐｅｒｔｓ　Ｇｒｏｕｐ）２をトランスポートストリームとして伝送されるデジタル放送を受信して記録再生するデジタル放送記録再生装置に関する。
【０００２】
【従来の技術】
従来のデジタル放送の記録再生装置においては、再生時には記録したＰＣＲ（Ｐｒｏｇｒａｍ　Ｃｌｏｃｋ　Ｒｅｆｅｒｅｎｃｅ）の値とパケットに付加したタイムスタンプ情報をもとに再生処理を行っている。（例えば、特許文献１）
【０００３】
【特許文献１】
特開平９−２０５６１６号公報（第３頁〜第７頁、図２，図４）
【０００４】
【発明が解決しようとする課題】
上記した特許文献１の技術は、再生時には記録したＰＣＲの値を元に作成したタイムスタンプ情報と受信したパケットのＰＣＲ値を使用する再生処理であったために、図４に示すように受信時と同じ高いレートで再生しなければならない、という問題があった。特にＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃ　Ｅｎｇｉｎｅｅｒｓ）で策定されたシリアルバスの規格であるＩＥＥＥ１３９４へ再生信号を送出するときには、予め信号の帯域を予約する必要があるが、その値を大きく予約することになり信号帯域を記録したストリーム本来のレートより大きくとらざるを得ない、という問題があった。
【０００５】
この発明の目的は、受信レートより低いレートで再生処理を可能にするデジタル放送記録再生装置を提供することにある。
【０００６】
【課題を解決するための手段】
上記の課題を解決するために、この発明のデジタル放送記録再生装置ではデジタル放送により送信されたデジタル放送信号を受信し、所定のトランスポートストリームを出力するチューナと、前記チューナから入力された前記所定のトランスポートストリームから所定の番組を含むパケットを抜き出してパーシャルトランスポートを記録するために記録媒体へ出力する記録用信号出力手段と、前記記録用信号出力手段が前記所定の番組の前記パーシャルトランスポートストリームに含まれる映像信号のデータの画質を調べる手段と、前記記録媒体へ記録するときの所定の記録ビットレートの最大値を管理する制御手段と、前記パーシャルトランスポートストリームを記録するときの時間情報を記録パケットに付加する手段と、前記最大の記録ビットレートより、所定の値だけ高いビットレートを、前記記録媒体から再生された前記パーシャルトランスポートストリームの再生ビットレートとして設定し、前記記録媒体から再生された前記パーシャルストリームを出力する再生用信号処理手段と、を備えたことを特徴とする。
【０００７】
また、デジタル放送により送信されたデジタル放送信号を受信し、所定のトランスポートストリームを出力するチューナと、前記チューナから入力された前記所定のトランスポートストリームから所定の番組を含むパケットを抜き出してパーシャルトランスポートを記録するために記録媒体へ出力する記録用信号出力手段と、前記記録用信号出力手段が前記所定の番組の前記パーシャルトランスポートストリームに含まれる映像信号の所定の再生単位のデータ量を前記記録媒体へ出力する毎に、前記所定の再生単位のデータ量の再生ビットレートを算出してその最大値を管理する制御手段と、前記パーシャルトランスポートストリームを記録するときの時間情報を記録パケットに付加する手段と、前記最大の記録ビットレートより、所定の値だけ高いビットレートを、前記記録媒体から再生された前記パーシャルトランスポートストリームの再生ビットレートとして設定し、前記記録媒体から再生された前期パーシャルストリームを出力する再生用信号処理手段と、を備えたことを特徴とする。
【０００８】
さらに、少なくとも映像信号をＭＰＥＧ２の圧縮方式で圧縮された圧縮信号と該映像信号に同調した基準信号を含むパーシャルストリームとして記録し、パケットに付加されたタイムスタンプに基づいて再生を行うシステムにあって、記録時には記録するパケットのビットレートを算出もしくは固定値として保持し、再生時には前記ビットレートと同じもしくは少し高いビットレートで再生するとともに、ストリームの基準時刻となるＰＣＲをその再生ビットレートに合うように変更することを特徴とする。
【０００９】
【発明の実施の形態】
以下、この発明の実施の形態について、図面を参照しながら詳細に説明する。図１はこの発明のデジタル放送記録再生装置の一実施の形態について説明するための構成図である。
図１において、まず記録処理について説明する。アンテナ１０を介して得られた受信信号は、チューナ／誤り訂正部１１で受信され、ＴＳ（Ｔｒａｎｓｐｏｒｔ　Ｓｔｒｅａｍ）デコード／記録再生制御部１２へ供給する。タイムスタンプ付加／削除装置１４では、トランスポートプロセッサの内部に備えた内部ＳＴＣ（Ｓｙｓｔｅｍ　Ｔｉｍｅ　Ｃｌｏｃｋ）カウンタ１６が持つカウンタ値が３２ｂｉｔのタイムスタンプとして、図２（ａ）に示すようにＴＳパケットの先頭に付加してパケットをメモリ１３へ転送し、メモリ１３で所定のデータが蓄えられたら次段の記録媒体１５へと記録する。
【００１０】
なお、内部ＳＴＣとは本来はトランスポートストリームを符号化するときの基準時間であり、ＬＳＢは２７ＭＨｚの精度である。本システムにおける内部ＳＴＣカウンタのＳＴＣの役割は、記録時に各パケット先頭に時間を追加するためおよび、後述するＰＣＲを書き換えるときの値として同じ精度のカウンタが必要なために存在する。
【００１１】
このとき全体制御部２１では記録番組がＨＤ（Ｈｉｇｈ　Ｄｅｆｉｎｉｔｉｏｎ）番組の場合には、例えば２７Ｍｂｐｓ、ＳＤ（Ｓｔａｎｄａｒｄ　Ｄｅｆｉｎｉｔｉｏｎ）番組の場合には１３Ｍｂｐｓの再生レートを記録媒体１５へ記録する。ここで、ＳＤ番組であるかＨＤ番組であるかの判断は、例えばＴＳデコード／記録再生制御部１２に供給されるトランスポートストリームのデータ量をカウントすることで確認する。この確認した結果を、トランスポートストリームとともに記録媒体１５に記録する。ＳＤ番組かＨＤ番組かを判定するためには、映像デコーダよりそのデコードモードを取得することにより判断してもよい。
【００１２】
再生時は、まず、全体制御部２１が記録媒体１５に蓄積された再生レートの値に基づいてＴＳデコード／記録再生制御部１２を設定する。この再生レートでＴＳデコード／記録再生制御部１２は以下の手順により再生の処理をする。
【００１３】
再生開始時には記録媒体３５から再生するストリームをメモリ３３に読み出す。そのストリームの最初のパケットはＰＣＲを含んだパケットである。ＰＣＲは映像と音声の同期をとるためのストリームのクロック基準情報である。映像と音声をデコーダで伸長するときには、このクロック基準情報を基準にしてクロック発生回路５５０で伸長用のクロック信号を復元し、伸長回路４２０に入力し、伸長を行うものである。
【００１４】
ここで図３に示すように、クロック基準情報であるＰＣＲと内部ＳＴＣカウンタ１６のカウンタ値との差分値を、ＴＳデコード／記録再生制御部１２で算出する。さらに、１パケット目に付加されているタイムスタンプ値および内部ＳＴＣカウンタ値を保持してそのままそのパケットは映像、音声デコーダ１９，２０へ転送する。
【００１５】
次に、メモリ１３から２パケット目をＴＳデコード／記録再生制御部１２に読み込む。そして、２パケット目に付加されているタイムスタンプ値と１パケット目に処理し終わったパケットのタイムスタンプ値とのタイムスタンプ差分値を算出する。続いて内部ＳＴＣカウンタ値から読み込んだカウンタ値と前回に保持した前記ＳＴＣカウンタ値とのＳＴＣカウンタ差分値を算出する。
【００１６】
ここで、タイムスタンプ差分値がＳＴＣカウンタ差分値よりも大きいときにそのパケットを出力する時間が来たと判定して、映像デコーダ１９、音声デコーダ２０へ出力する。このようにタイムスタンプ差分値と内部ＳＴＣカウンタ差分値とを比較することによって正しい時間でパケットを転送することができる。
【００１７】
なお、ＰＣＲパケットの場合については、ＰＣＲ処理部１７で前記差分値と内部ＳＴＣカウンタ値の和でＴＳパケット内に記述されているＰＣＲ値を書き換えて後段へ送出する必要がある。このように、内部ＳＴＣ値とＰＣＲ値の差分を求めて先のパケットの差分値と現在のＳＴＣ値の和で、受信レートより低い再生レートで再生することが可能になる。
【００１８】
この実施の形態によれば、番組の画質レベルで最大ビットレート値を算出して設定することにより、受信レートより低いレートになるから、低レートでの再生ができる。また、このようにすることによってＩＥＥＥで策定されたシリアルバスの規格であるＩＥＥＥ１３９４へ再生信号を送出するときの信号帯域を低くすることができる。
【００１９】
なお、再生開始時に、ＰＣＲ値と前記内部ＳＴＣカウンタのカウンタ値との差分値を保持し、ＰＣＲを含むパケットが入力される毎に、前記差分値と前記内部ＳＴＣカウンタのカウンタ値の和で書き換えることによって再生レートにあう正しいＰＣＲをストリームに設定することができる。
【００２０】
この発明は上記した実施の形態に限定されるものではない。たとえば、前例では再生レートの値を番組の画質がＨＤ，ＳＤの場合で値を指定していたが、特に画質で固定しなくてもよい。この場合、所定の再生単位における最大ビットレート値を算出して設定することにより、受信レートより低いレートになるから、低レートでの再生ができる。
【００２１】
また、記録時に全体制御部はある一定の期間、例えば５００ｍｓに１回の割合で再生レートを求めて、常に最大の再生レート値を記録媒体へ記録して、再生時にこの再生レートで再生してもよい。こうすることで、さらに低いレートでの再生が可能になり再生制御システムに負担の軽い制御が可能になる。
【００２２】
【発明の効果】
以上説明したように、この発明のデジタル放送記録再生装置によれば、記録時に、パケット毎に付加したタイムスタンプを頼りに出力して、ＰＣＲ値を書き換えて出力することで記録時より低レートでの再生が可能となる。
【図面の簡単な説明】
【図１】この発明のデジタル放送の記録再生装置および方法の構成を説明するためのブロック図。
【図２】この発明のデジタル放送記録再生装置でのパケットの出力レートを説明するための説明図。
【図３】この発明の動作について説明するための説明図。
【図４】従来のパケット出力レートを説明するための説明図。
【符号の説明】
１１…チューナ／誤り訂正部
１２…ＴＳデコード／記録再生制御部
１３…メモリ
１４…タイムスタンプ付加／削除装置
１５…記録媒体
１６…内部ＳＴＣカウンタ
１７…ＰＣＲ処理部
１８…ＳＴＣカウンタ制御部
１９…映像デコード部
２０…音声デコード部
２１…全体制御部
【図１】
2004120289.tif 000003
【図２】
2004120289.tif 000004
【図３】
2004120289.tif 000005
【図４】
2004120289.tif 000006